(57)【特許請求の範囲】
【請求項１】
押釦ハンドルが押し込まれたときに、この押釦ハンドルの押し込み動作にともなってハンドルを回動させ、このハンドルの回動に応じて１組の接点部を駆動し、上記押釦ハンドルの押し込み解除時に上記接点部を復帰駆動させる開閉機構を備えた押釦スイッチ部と、この押釦スイッチ部の上部に取付けられ上記押釦ハンドルをピアノタッチ操作で押圧するピアノハンドルとを備え、
上記押釦スイッチ部は、器体の外側に、操作面を露出させて露出方向において進退自在に器体に取り付けられた上記押釦ハンドルと、上記押釦ハンドルの操作面に背向する面において摺動自在に上記押釦ハンドルに取着されるとともに、弾性片を有しこの弾性片によって反摺動方向への復帰力が与えられたスライドカムと、上記押釦ハンドルの押し込み動作によるスライドカムの摺動に応じて回動動作する上記ハンドルと、一端が回動自在に支持され他端が上記ハンドルにコイルスプリングを介して連結され、上記ハンドルの回動に応じて上記ハンドルの回動方向とは逆方向に回動する開閉体と、開閉体に設けられ、開閉体の回動により器体内に配置されている固定接点に接触／開離する可動接点と、上記押釦ハンドルを押し操作方向とは逆方向に付勢する復帰ばねとを備え、上記スライドカム、上記ハンドル、上記コイルスプリング及び上記開閉体により上記開閉機構を構成するとともに、上記可動接点及び上記固定接点で上記接点部を構成し、上記ハンドルが反転しない位置で上記開閉体の可動接点が上記固定接点に接触してこの接触により上記開閉体の回動を規制するように上記固定接点の位置を設定し、上記押釦ハンドルの押し操作解除後に上記ハンドル及び上記開閉体を上記コイルスプリングの復帰力によって回動復帰させ、上記接点部の端子板には、前記押釦スイッチ部内に収納され、ネオンランプからなる位置表示灯と限流用の抵抗との直列回路を備えた表示ブロックの合成樹脂成形品のブロック本体に同時成形され前記直列回路の導電路を形成する２つの導電板に形成され、ブロック本体から突出した２つの接触子を夫々弾接させて前記直列回路を上記接点部に並列接続し、該接点部がオフ状態のときに負荷を介して位置表示灯が通電されて点灯して、点灯光を前記ピアノハンドル側に出射し、上記ピアノハンドルには位置表示灯からの光が視認できる視認部を備え、
上記器体は、上記接点部の端子板が収納されたボディと、ボディに被着固定されたカバーとで構成され、
上記カバーには、上記ブロック本体を収納する収納凹所が設けられ、
上記収納凹所は、壁面に当該収納凹所側に突出する突条部が設けてあり、
上記突条部は、上記収納凹所に収納された上記ブロック本体に圧接するように形成されていて、
上記ブロック本体は仮保持される形で上記収納凹所に収納されていることを特徴とする押釦スイッチ装置。
【発明の詳細な説明】
【０００１】
【発明の属する技術分野】
本発明は、ピアノタッチ操作で接点部の接点切換を行う押釦スイッチ装置に関するものである。
【０００２】
【従来の技術】
従来から押釦ハンドルが押し込まれたときに、この押釦ハンドルの押し込み動作にともなってハンドルを反転回動させ、このハンドルの反転回動に応じて１組の接点部の切り換えを行うようにした押釦スイッチ部と、押釦スイッチ部の上部に取付けられ上記押釦ハンドルをピアノタッチ操作で押圧するピアノハンドルとを備えるピアノハンドル式スイッチ装置が提供されている。
【０００３】
そして、従来提供されているこのスイッチ装置は、ピアノハンドルの押し操作の度に押釦スイッチ部の接点部の動作を反転させるものであった。
【０００４】
一方ピアノハンドルの押し操作中、接点部をオンさせ、押し操作が解除されるとオフする押釦スイッチ部を用いたピアノハンドル式押釦スイッチ装置も要望されている。
【０００５】
【発明が解決しようとする課題】
上述のピアノハンドル式スイッチ装置において、ピアノハンドルの押し操作中、接点部をオンさせ、押し操作が解除されるとオフする押釦スイッチ部を用いたピアノハンドル式押釦スイッチ装置も要望されている。
【０００６】
本発明は、上記の点に鑑みて為されたもので、その目的とするところは片切りで、ピアノハンドル式の押釦スイッチ装置において、既存の反転型の片切りの押釦スイッチ部の部品をそのまま利用でき、反転型の片切りのスイッチ装置と部品の共通化を図れ、且つ位置表示が行える押釦スイッチ装置を提供することにある。
【０００７】
【課題を解決するための手段】
上記目的を達成するために、請求項１の発明では、押釦ハンドルが押し込まれたときに、この押釦ハンドルの押し込み動作にともなってハンドルを回動させ、このハンドルの回動に応じて１組の接点部を駆動し、上記押釦ハンドルの押し込み解除時に上記接点部を復帰駆動させる開閉機構を備えた押釦スイッチ部と、この押釦スイッチ部の上部に取付けられ上記押釦ハンドルをピアノタッチ操作で押圧するピアノハンドルとを備え、上記押釦スイッチ部は、器体の外側に、操作面を露出させて露出方向において進退自在に器体に取り付けられた上記押釦ハンドルと、上記押釦ハンドルの操作面に背向する面において摺動自在に上記押釦ハンドルに取着されるとともに、弾性片を有しこの弾性片によって反摺動方向への復帰力が与えられたスライドカムと、上記押釦ハンドルの押し込み動作によるスライドカムの摺動に応じて回動動作する上記ハンドルと、一端が回動自在に支持され他端が上記ハンドルにコイルスプリングを介して連結され、上記ハンドルの回動に応じて上記ハンドルの回動方向とは逆方向に回動する開閉体と、開閉体に設けられ、開閉体の回動により器体内に配置されている固定接点に接触／開離する可動接点と、上記押釦ハンドルを押し操作方向とは逆方向に付勢する復帰ばねとを備え、上記スライドカム、上記ハンドル、上記コイルスプリング及び上記開閉体により上記開閉機構を構成するとともに、上記可動接点及び上記固定接点で上記接点部を構成し、上記ハンドルが反転しない位置で上記開閉体の可動接点が上記固定接点に接触してこの接触により上記開閉体の回動を規制するように上記固定接点の位置を設定し、上記押釦ハンドルの押し操作解除後に上記ハンドル及び上記開閉体を上記コイルスプリングの復帰力によって回動復帰させ、上記接点部の端子板には、前記押釦スイッチ部内に収納され、ネオンランプからなる位置表示灯と限流用の抵抗との直列回路を備えた表示ブロックの合成樹脂成形品のブロック本体に同時成形され前記直列回路の導電路を形成する２つの導電板に形成され、ブロック本体から突出した２つの接触子を夫々弾接させて前記直列回路を上記接点部に並列接続し、該接点部がオフ状態のときに負荷を介して位置表示灯が通電されて点灯して、点灯光を前記ピアノハンドル側に出射し、上記ピアノハンドルには位置表示灯からの光が視認できる視認部を備え、上記器体は、上記接点部の端子板が収納されたボディと、ボディに被着固定されたカバーとで構成され、上記カバーには、上記ブロック本体を収納する収納凹所が設けられ、上記収納凹所は、壁面に当該収納凹所側に突出する突条部が設けてあり、上記突条部は、上記収納凹所に収納された上記ブロック本体に圧接するように形成されていて、上記ブロック本体は仮保持される形で上記収納凹所に収納されていることを特徴とする。
【０００８】
【発明の実施の形態】
以下本発明を基本形態及び実施形態により説明する。
【０００９】
（基本形態）
本基本形態の両切りのピアノハンドル式の押釦スイッチ装置は、図１及び図２に示すように押釦ハンドル１の押圧操作により２組の接点部Ｓ１，Ｓ２の接点切換が行われる押釦スイッチ部２と、この押釦スイッチ部２の上面に一端部が回動自在に枢支され、他端部で押釦ハンドル１の上面を押し下げる操作用のピアノハンドル３とからなり、例えば図３に示すように各接点部Ｓ１、Ｓ２を商用電源ＡＣの各極の線路に挿入して、モータ等の負荷Ｌへの電源を入切するスイッチ装置として用いられる。
【００１０】
押釦スイッチ部２の器体は、上面開口の合成樹脂製のボディ４ａと、ボディ４ａの両側面の両端部近くに形成している係止突起３０，３０を、両側下端から下方に垂下させている組立片３１、３１の係止孔３２、３２に組立片３１の弾性を利用して係止させてボディ４ａに被着固定する合成樹脂製カバー４ｂとで構成され、その外形寸法は規格化された既製の埋込型の配線器具の１個モジュール寸法に対応する寸法となっている。
【００１１】
そして、カバー４ｂは、既製の配線器具を埋設する場合に用いる取付枠７に着脱自在に取付可能とするために、両端面に一対の係止爪５，５を夫々突設してあり、一方の係止爪５の背部には空間６を形成し、当該係止爪５が背方へ弾性的にたわむようにしてある。従って、既製の配線器具用の取付枠７に係止爪５，５を係止させて押釦スイッチ部２を着脱自在に取り付けることにより、既製の埋込型の配線器具と同様にして壁面などの造営面に埋設できるようにしてある。
【００１２】
一方ボディ４ａは一端部内に接続端子収納部８を２つ形成し、また、他端部内に接続端子収納部９を２つ形成し、更に中央部内に中央収納部１５を２つ形成してあり、一端部の２つの接続端子収納部８にはそれぞれ鎖錠ばね１０を内装した２個の端子板１１を収納し、また、他端部の２つの接続端子収納部９にはそれぞれ鎖錠ばね１０’を内装した２個の端子板１２を収納する。図中１３，１３’はボディ４ａの両側に配置される各２つの鎖錠ばね１０，１０、１０’，１０’の電線解除を行うための解除釦であり、１０２は冶具を挿入して解除釦１０（或いは１０’）を解除操作するための解除孔、また２９は電線挿入孔である。
【００１３】
そして、端子板１１と鎖錠ばね１０と解除釦１３，端子板１２と鎖錠ばね１０’と解除釦１３’とで周知の夫々速結端子部が構成される。
【００１４】
ここで各端子板１２には固定接点１４が固着された延設片１２ａを形成してあり、各延設片１２ａはボディ４ａの対応する中央収納部１５内に延出配置される。また各端子板１１の下端には対応する中央収納部１５の底部に延出配置される支持片１１ａを形成している。そして中央収納部１５内に配置された各支持片１１ａ上には金属板からなる開閉体１６の下端を回動自在に支持する。
【００１５】
各開閉体１６は下部側端に設けた突部を対応する中央収納部１５の内側壁に形成されたＶ状の位置規制用凹部１７に嵌め込んで、位置規制用凹部１７の下部を中心に回動自在に枢支される。また各開閉体１６には可動接点１８を設けてあり、開閉体１６の回動に応じて可動接点１８が固定接点１４に接触・開離し、端子板１１と端子板１２との間の電気的な接続と遮断とを行う接点部Ｓ１又はＳ２を対応する固定接点１４とで構成する。
【００１６】
上記のように１つの固定接点１４と１つの可動接点１８とで１組の接点部Ｓ１又はＳ２を構成し、２組の接点部Ｓ１、Ｓ２を同時に開閉することにより両切りのスイッチ部を構成する。
【００１７】
各接点部Ｓ１、Ｓ２の開閉を行うための２つの開閉体１６，１６は１つのハンドル１９の回動により同時に駆動されるように構成してある。即ち、ハンドル１９の下部には下方に開口した２つの筒部１９ａが並設してあり、これらの２つの筒部１９ａにはそれぞれコイルスプリング２０が納められ、各コイルスプリング２０の下部が対応する上記開閉体１６の上縁に係止され、ハンドル１９の回動に応じて各開閉体１６を同時に駆動するようになっている。従って上記各筒部１９ａが、両接点部Ｓ１、Ｓ２の各開閉体１６を操作するための開閉体操作部を構成する。
【００１８】
またハンドル１９は、両側に設けた逆三角形状の軸１９ｂをカバー４ｂの天井面の中央開口部の内壁に形成された軸受け２１に、カバー４ｂの被着時に下方から回動自在に嵌め込むようになっている。また上部の両端に後述するスライドカム２２に掛合する掛合突起２３を突設してある。
【００１９】
押釦ハンドル１はカバー４ｂに上下動自在に取り付けられ、下方に配置される復帰ばね２４により常時上方に付勢されている。
【００２０】
スライドカム２２は両端下面に上記ハンドル１９の掛合突起２３に摺動係合する掛合カム体２５が形成されており、このスライドカム２２は押釦ハンドル１の下面側において両端方向摺動自在に取り付けられ、内部に形成されたハ状の一対の弾性片２６の間に押釦ハンドル１の下面に形成している突起（図示せず）が挿入され、この弾性片２６により復帰力が与えられる。
【００２１】
ここで本基本形態に用いる押釦スイッチ部２の開閉機構は、上記の開閉体１６，スライドカム２２、ハンドル１９、コイルスプリング２０により構成される。
【００２２】
ピアノハンドル３は、図２（ｄ）に示すように、枢支端側の下面から一対の回動凹部（図示せず）を設けると共に、押圧操作端側の下面から押釦スイッチ部２からの抜け止め用の一対の抜止片２７を垂設してある。上記回動凹部はカバー４ｂに形成された軸部２８に回動自在に係合するとともに、抜止片２７が空所６内に挿入することで、押釦スイッチ部２に装着される。抜止片２７側の押圧操作端側を押圧すると、軸部２８を中心としてピアノタッチ式に回動する。そして、このピアノハンドル３の回動により押釦スイッチ部２の押釦ハンドル１が下方に押し下げられるのである。
【００２３】
次に、図４に基づいて押釦スイッチ部２の動作を簡単に説明する。なお、図３（ａ）は押釦スイッチ部２の両接点部Ｓ１、Ｓ２のいずれもオフの状態で、図２（ｄ）に示すピアノハンドル３を何等操作していない状態を示す。図４（ｂ）は押釦スイッチ部２の両接点部Ｓ１、Ｓ２のいずれもオンの状態で、ピアノハンドル３を押し操作している状態を示す。
【００２４】
いま、図４（ａ）の状態で、図２（ｄ）に示すピアノハンドル３を押し操作したとすると、ピアノハンドル３の押し操作に伴って押釦ハンドル１が復帰ばね２４に抗して押し下げられ、押釦ハンドル１の押し下げによりスライドカム２２が下降する。そして、スライドカム２２の図中右側の掛合カム体２５が、ハンドル１９の右側の掛合突起２３に当たることにより、ハンドル１９が図において右方向に回動される。このとき、ハンドル１９の回動に伴ってスライドカム２２が図中の右側に摺動する。このようにしてハンドル１９が回動されると、コイルスプリング２０の下端に連結されている両開閉体１６が図において左方向に回動し、開閉体１６の各可動接点１８がそれぞれ対応する固定接点１４に接触し、開閉体１６がそれ以上回動できなくなる。この位置では開閉体１６の上端と下端とを結ぶ線が中央収納部１５の底面に対して垂直な線よりも反固定接点１４側にやや傾いた位置となるように、固定接点１４を設けている端子板１２の延長片１２を上記底面に対して垂直となるように形成配置し、且つ可動接点１８の突出量や開閉体１６の下端の位置等を設定してある。
【００２５】
而して固定接点１４に可動接点１８が接触すると、押釦ハンドル１の押し下げもそれ以上できなくなる。またこの位置ではコイルスプリング２０も反転しない。従ってこの位置でピアノハンドル３の押し下げ力を解除すると、復帰ばね２４で押釦ハンドル１が押し上げられ、このときピアノハンドル３が元の状態に戻る。これと同時にスライドカム２２も弾性片２６のばね力で中央部に摺動復帰し、またハンドル１９及び開閉体１６も自重により夫々図４（ａ）の状態に回動復帰することになる。両開閉体１６の復帰により各可動接点１８は各固定接点１４から開離し、接点部Ｓ１、Ｓ２はオン状態からオフ状態に戻ることになる。尚開閉体１６の復帰位置は中央収納部１５の底部より形成した倒れ防止リブ３３により一定位置に規制される。
【００２６】
ここで接点部Ｓ１又はＳ２の何れかが溶着していても、他方が開離することで負荷Ｌへの電源を遮断できることになる。
【００２７】
尚本基本形態では、固定接点１４に対する可動接点１８の接触位置を、コイルスプリング２０が反転して、ハンドル１６が反転回動する位置から、夫々が反転する前の位置に変更することで、反転動作によって接点部Ｓ１、Ｓ２を開閉する既存の両切り押釦スイッチ装置の部品を利用することができ、これにより部品の共用化が図れる。
【００２８】
（実施形態）
本実施形態は片切りで且つ位置表示が行えるピアノハンドル式の押釦スイッチ装置を構成するものであり、押釦ハンドル１を押し操作したときに１組の接点部をオンし、押し操作を解除するとオフする押釦スイッチ部２、押釦スイッチ部２の前面に対向する形で配設され一端部が押釦スイッチ部２に枢着され、押釦ハンドル１の押し込みが可能なピアノハンドル３とを備えている点では基本形態と同様である。
【００２９】
以下本実施形態を、基本形態と相違する部分を主に図５乃至図１３に基づいて説明する。尚基本形態の構成要素と同じ役割を持つ構成要素には基本的には同じ番号、符号を付して説明を省略する。
【００３０】
まず本実施形態のボディ４ａの内部には基本形態と同様に両端部に接続端子収納部８，９をそれぞれ設け、中央部にスイッチ機構部が収納される中央収納部１５を設けている。接続端子収納部８には端子板１００と２個の鎖錠ばね１０と解除釦１３とが収納され、接続端子収納部９には端子板１０１と２個の鎖錠ばね１０’と解除釦１３’とが収納される。
【００３１】
各端子板１００，１０１は、前片１００ａ，１０１ａと、前片１００ａ，１０１ａの後方に位置して互いに対向する押さえ片１００ｂ、１０１ｂ及び当接片１００ｃ、１０１ｃとを備える。鎖錠ばね１０，１０’の中央の平板状部が、端子板１００，１０１の当接片１００ｃ、１０１ｃに当接することにより、鎖錠ばね１０，１０’と端子板１００，１０１とで速結端子部がそれぞれ構成される。
【００３２】
また一方の端子板１０１には、図１２（ａ）（ｂ）に示すようにボディ４ａの底部に対してほぼ垂直に下方に向けて中央収納部１５に上方から垂下挿入される接点保持片１０１ｄが一体に形成してあり、接点保持片１０１ｄの先端部には中央収納部１５内に配置される固定接点１４が設けられている。
【００３３】
他方の端子板１００には、中央収納部１５まで延長される連絡片１００ｄが延出してあり、連絡片１００ｄの先端部には中央収納部１５の後壁内周面に沿って配置される支持片１００ｅが形成されている。連絡片１００ｄは当接片１００ｃよりも押さえ１００ｂ寄りに位置するように形成され、中央収納部１５内に配置される接点保持片１０１ｄとの絶縁距離を比較的大きくとってある。
【００３４】
支持片１００ｅには平板状の導電板からなる開閉体１６’の後端縁（図５では下端縁）が当接する。開閉体１６’の後部両側縁（図５では下部両側縁）には突部１６ａが突設されており、この突部１６ａは中央収納部１５内で設けた前端側が広いＶ字状の位置規制凹部１７に挿入される。従って、開閉体１６’は支持片１００ｅに後端縁（図５では上端縁）が接触した状態で後縁（図５では上縁）を中心として位置規制凹部１７の範囲内で回動可能になる。
【００３５】
開閉体１６’は接点保持片１０１ｄに対向するように配置され、接点保持片１０１ｄに設けた固定接点１４との対向部位には固定接点１４とともに片切りの接点部Ｓを構成する可動接点１８を設けてある。つまり、開閉体１６’が回動することにより、可動接点１８と固定接点１４に接触・開離する。
【００３６】
上述のように、接続端子収納部８，９に収納された各一対の鎖錠ばね１０，１０’はそれぞれ１つの端子板１００，１０１に対応して配置されているから、各一対の鎖錠ばね１０，１０’はそれぞれ電気的に接続されている。つまり、接点部Ｓの開閉によって接続端子収納部８に収納された端子板１００に対応する２個の鎖錠ばね１０と接続端子収納部９に収納された端子板１０１に対応する２個の鎖錠ばね１０’との導通、非導通が同時に切り換えられるから、２個ずつ設けられている鎖錠ばね１０，１０’の一方を送り配線用の端子として用いることができる。
【００３７】
ところで、両端子板１００，１０１の間にはネオンランプからなる位置表示灯ＮＥと限流用の抵抗Ｒとを備えた表示ブロックＢＬが接続される。表示ブロックＢＬは、３枚の導電板６１〜６３を同時一体に成形した合成樹脂成形品であるブロック本体６０を備える。ブロック本体６０は前方（図５では上方）から見てコ字状に形成され、導電板６１の一端部をへ字状に折曲して形成した接触子６１ａをブロック本体６０の一方の脚片の先端から突出させ、導電板６１の他端部を断面Ｕ字状に曲成したかしめ部６１ｂを上記一方の脚片の基部に突出させてある。
【００３８】
また、導電板６２の一端部をへ字状に折曲して形成した接触子６２ａをブロック本体６０の中央片から突出させ、導電板６２の他端部を断面Ｕ字状に曲成したかしめ部６２ｂをブロック本体６０の一側面から突出させてある。ブロック本体６０の同じ側面には導電板６３の一端部を断面Ｕ字状に曲成したかしめ部６３ｂも突出する。導電板６３は他端部にも断面Ｕ字状に曲成したかしめ部６３ａを備え、かしめ部６３ａはブロック本体６０の他方の脚片の基部に突出させてある。抵抗Ｒのリード端子はかしめ部６１ｂとかしめ部６３ａとにかしめて接続され、位置表示灯ＮＥのリード端子はかしめ部６２ｂとかしめ部６３ｂとにかしめて接続される。
【００３９】
ブロック本体６０は接続端子収納部９に対応する部位でカバー４ｂに収納され、ブロック本体６０から突出する２本の接触子６１ａ，６２ａは端子板１００，１０１の前片１００ａ，１０１ａにそれぞれ接触するように配置される。
【００４０】
即ち、カバー４ｂの長手方向の一端部には図１１に示すように後面開口（図１１では手前に開口）した収納凹所５５が形成され、収納凹所５５にブロック本体６０が収納される。収納凹所５５の一方の壁面である仕切壁５５ａには収納凹所５５側に突出する一対の突条部５５ｂ（図１１参照）が設けてあり、突条部５５ｂはブロック本体６０を収納凹所５５に収納するとブロック本体６０の脚片の先端に圧接するように形成されている。
【００４１】
従って、収納凹所５５にブロック本体６０を収納すれば、ブロック本体６０はカバー４ｂに仮保持され、カバー４ｂをボディ４ａに結合する際にブロック本体６０を押さえる必要がなく結合作業を容易に行うことができる。
【００４２】
ブロック本体６０をカバー４ｂに仮保持させた状態でカバー４ｂをボディ４ａに結合すれば、接触子６１ａの先端部が端子板１００の前片１００ａに弾接し、接触子６２ａの先端部が端子板１０１の前片１０１ａに弾接する。つまり、抵抗Ｒと位置表示灯ＮＥとの直列回路が両端子板１００，１０１の間に挿入されることになる。従って、押釦スイッチ部２の内部回路を図示すれば図１３のようになる。
【００４３】
本実施形態の押釦スイッチ装置は固定接点１４と可動接点１８とを１個ずつ備えた、単極単投に用いる単極スイッチ（いわゆる片切スイッチ）の接点部Ｓを構成しており、抵抗Ｒと位置表示灯ＮＥとの直列回路が接点部Ｓに並列接続されるのである。この構成では、接点部Ｓを電源と負荷との間に挿入して負荷への電源を入切する片切スイッチとして用いるとすれば、負荷に電源を供給していないとき（接点部Ｓがオフのとき）に位置表示灯ＮＥが点灯することになる。つまり、負荷として照明負荷を用いるとすれば、照明負荷が消灯しているときには位置表示灯ＮＥが点灯することによって、暗がりでもスイッチの位置を容易に確認することができる。
【００４４】
ところで、カバー４ｂにおいて収納凹所５５に対応する部位の前壁には、軸部２８の間の部位に収納凹所５５に連通する透孔窓４０が形成され、透孔窓４０には透光性を有した視認部を構成するランプカバー４１が取り付けられる。従って、位置表示灯ＮＥの点灯・消灯の状態はランプカバー４１を通して視認することができる。
【００４５】
さて可動接点１８と、固定接点１４とで構成される接点部Ｓは基本形態と同様に開閉体１６’を回動させるために設けたコイルスプリング２０、ハンドル１９’、押釦ハンドル１、スライドカム２２、復帰ばね２４とともにスイッチ機構部を構成する。
【００４６】
本実施形態におけるコイルスプリング２０は後端部（図５では下端部）に開閉体１６’の前縁（図５では上縁）に突設されたばね座片１６ｂが挿入され、前端部はハンドル１９’に設けた後面開口した筒部１９ａ内に収められる。
【００４７】
ハンドル１９’は基本形態と同様にカバー４ｂの後面側（図１１参照）に配置されて前面側に露出する。
【００４８】
また、ハンドル１９’の中間部の両側面には頭部が先細りとなる三角形状の軸１９ｂが突設され、基本形態と同様に軸受け２１に支点用の軸１９ｂが枢支されることで、ハンドル１９’はカバー４ｂに対して揺動自在に取り付けられる。
【００４９】
尚本実施形態に対応する押釦スイッチ部２のカバー４ｂの表面側端部には、取付枠７に押釦スイッチ部２を取り付けた後に、ピアノハンドル３を基本形態と同様に枢着される。
【００５０】
上記のようにピアノハンドル３が押釦スイッチ部２に取り付けられることにより、ピアノハンドル３の押操作により押釦ハンドル１をカバー４ｂ側に押し込むことができることになる。
【００５１】
以下に、上記押釦スイッチ部２の動作を簡単に説明する。図１２（ａ）は押釦ハンドル１が押し操作されていない状態を示しており、この場合、コイルスプリング２０のばね力によりハンドル１９’が図示するように左傾した状態にあって、これにより開閉体１６’は突部１６ａを中心として右傾した状態にあり、可動接点１８は固定接点１４から開離している。つまり接点部Ｓはオフ状態にある。このとき復帰ばね２４により押釦ハンドル１が押し上げら、図において上方に突出している。
【００５２】
次にこの状態からピアノハンドル３（図１２（ａ）（ｂ）では図示を省略している）に押力を作用させると、押釦ハンドル１が復帰ばね２４に抗してカバー４ｂ側に押し込まれ、押釦ハンドル１とともにスライドカム２２が下向きに移動する。このときスライドカム２２の図中右側の掛合カム体２５がハンドル１９’の右側の掛合突起２３に当接してハンドル１９’の右端部を押すから、ハンドル１９’が軸１９ｂを中心として右回りに回動する。スライドカム２２の右側の掛合カム体２５はハンドル１９’の右側の掛合突起２３よりも右側に位置しており、ハンドル１９’が回動するのに伴ってスライドカム２２が右方に押されて左側にスライドしようとする。一方ハンドル１９’の回動に伴って開閉体１６’が突部１６ａを中心として左回りに回動し、やがて可動接点１８が固定接点１４に接触することになる。
【００５３】
この接触位置はコイルスプリング２０が圧縮されて反転する前となるように固定接点１４の配置位置が設定されているため、可動接点１８が固定接点１４に接触すると同時に、それ以上に開閉体１６’が回動できなくなる。そのためハンドル１９’の回動も停止し、押釦ハンドル１のそれ以上の押し下げもできなくなる。この状態が図１２（ｂ）に示す状態であり、この状態で押釦ハンドル１に対する押力を保持している間は接点部Ｓのオン状態が維持されることになる。
【００５４】
ここでピアノハンドル３の押し操作を解除すると、押釦ハンドル３は復帰ばね２４の復帰力で図において上方に押し上げられる。これによりハンドル１９’の掛合突起２３とスライドカム２２の右側の掛合カム体２５との掛合も解除され、そのためコイルスプリング２０の復帰力によりハンドル１９’が軸１９ｂを中心として左回りに回動し、図１２（ａ）の状態に戻る。このハンドル１９’の回転に伴い開閉体１６’も突部１６ａを中心として右回りに回動し、この回動により可動接点１８が固定接点１４より開離して、接点部Ｓがオフする。
【００５５】
このように本実施形態の押釦スイッチ部２も基本形態と同様にピアノハンドル３が押されている状態で接点部Ｓがオンし、ピアノハンドル３が押されなくなると、接点部Ｓがオフする押釦スイッチ装置を構成する。
【００５６】
ところでピアノハンドル３を押釦スイッチ部２に上述のように取り付けたときに押釦スイッチ部２のランプカバー４１に対応する部位で図６に示すように表示窓１１２が設けてあり、この表示窓１１２には透光性の樹脂成形品からなる表示部１１３の先端部分がピアノハンドル３の裏面側から嵌合している。
【００５７】
そして、押釦スイッチ部２にピアノハンドル３を取り付ければ、表示部１１３裏面が押釦スイッチ部２のランプカバー４１に対向配置され、スイッチ部Ｓがオフの時にランプカバー４１から出射された位置表示灯ＮＥの光が表示部１１３の裏面から入射し、表面側から外部へ照射されることになる。
【００５８】
尚位置表示灯ＮＥを設けない構成とすれば、片切りの押釦スイッチ装置も実現できる。
【００５９】
【発明の効果】
請求項１の発明は、押釦ハンドルが押し込まれたときに、この押釦ハンドルの押し込み動作にともなってハンドルを回動させ、このハンドルの回動に応じて１組の接点部を駆動し、上記押釦ハンドルの押し込み解除時に上記接点部を復帰駆動させる開閉機構を備えた押釦スイッチ部と、この押釦スイッチ部の上部に取付けられ上記押釦ハンドルをピアノタッチ操作で押圧するピアノハンドルとを備えたので、片切りで且つピアノハンドル操作型の押釦スイッチ装置を提供できるという効果がある。
【００６０】
また、上記押釦スイッチ部が、器体の外側に、操作面を露出させて露出方向において進退自在に器体に取り付けられた上記押釦ハンドルと、上記押釦ハンドルの操作面に背向する面において摺動自在に上記押釦ハンドルに取着されるとともに、弾性片を有しこの弾性片によって反摺動方向への復帰力が与えられたスライドカムと、上記押釦ハンドルの押し込み動作によるスライドカムの摺動に応じて回動動作する上記ハンドルと、一端が回動自在に支持され他端が上記ハンドルにコイルスプリングを介して連結され、上記ハンドルの回動に応じて上記ハンドルの回動方向とは逆方向に回動する開閉体と、開閉体に設けられ、開閉体の回動により器体内に配置されている固定接点に接触／開離する可動接点と、上記押釦ハンドルを押し操作方向とは逆方向に付勢する復帰ばねとを備え、上記スライドカム、上記ハンドル、上記コイルスプリング及び上記開閉体により上記開閉機構を構成するとともに、上記可動接点及び上記固定接点で上記接点部を構成し、上記ハンドルが反転しない位置で上記開閉体の可動接点が上記固定接点に接触してこの接触により上記開閉体の回動を規制するように上記固定接点の位置を設定し、上記押釦ハンドルの押し操作解除後に上記ハンドル及び上記開閉体を上記コイルスプリングの復帰力によって回動復帰させるので、既存の反転型の両切り押釦スイッチ部の部品をそのまま利用して、部品の共通化を図れる両切り押釦スイッチ装置を提供することができるという効果がある。
【００６１】
更に、上記接点部の端子板には、前記押釦スイッチ部内に収納され、ネオンランプからなる位置表示灯と限流用の抵抗との直列回路を備えた表示ブロックの合成樹脂成形品のブロック本体に同時成形され前記直列回路の導電路を形成する２つの導電板に形成され、ブロック本体から突出した２つの接触子を夫々弾接させて前記直列回路を上記接点部に並列接続し、該接点部がオフ状態のときに負荷を介して位置表示灯が通電されて点灯して、点灯光を前記ピアノハンドル側に出射し、上記ピアノハンドルには位置表示灯からの光が視認できる視認部を備えているので、接点部がオフ状態のときに位置表示灯の点灯によりスイッチ装置の位置がピアノハンドルの表側から視認でき、照明装置の点灯操作に用いた場合、消灯状態の暗がりでもスイッチ装置の位置が判り、特に有効である。
【００６２】
その上、上記器体は、上記接点部の端子板が収納されたボディと、ボディに被着固定されたカバーとで構成され、上記カバーには、上記ブロック本体を収納する収納凹所が設けられ、上記収納凹所は、壁面に当該収納凹所側に突出する突条部が設けてあり、上記突条部は、上記収納凹所に収納された上記ブロック本体に圧接するように形成されていて、上記ブロック本体は仮保持される形で上記収納凹所に収納されている。
【図面の簡単な説明】
【図１】  （ａ）は本発明の基本形態の両切り押釦スイッチ装置に用いる押釦スイッチ部のカバーを外した状態の正面図である。
（ｂ）は同上に用いる押釦スイッチ部の側面断面図である。
（ｃ）は同上に用いる押釦スイッチ部の正面図である。
（ｄ）は同上に用いる押釦スイッチ部の側面図である。
（ｅ）は同上に用いる押釦スイッチ部の下面図である。
【図２】  同上に用いる押釦スイッチ部の分解斜視図である。
【図３】  同上の使用例を示す配線図である。
【図４】  同上に用いる押釦スイッチ部の動作説明図である。
【図５】  本発明の実施形態に用いる押釦スイッチ部の分解斜視図である。
【図６】  同上に用いるピアノハンドルの一例の拡大斜視図である。
【図７】  同上に用いる押釦スイッチ部の正面図である。
【図８】  同上に用いる押釦スイッチ部の側面図である。
【図９】  同上に用いる押釦スイッチ部の下面図である。
【図１０】  同上に用いる押釦スイッチ部のカバーを取り外した状態のボディ側の正面図である。
【図１１】  同上に用いる押釦スイッチ部のボディから取り外した状態のカバー側の裏面図である。
【図１２】  同上の押釦スイッチ部の動作説明図である。
【図１３】  同上の押釦スイッチ部の回路図である。
【符号の説明】
１  押釦ハンドル
２  押釦スイッチ部
３  ピアノハンドル
１４  固定接点
１６  開閉体
１８  可動接点
１９  ハンドル
２０  コイルスプリング
２２  スライドカム
２４  復帰ばね
Ｓ１，Ｓ２  接点部
【図１】
0004114327.tif 000002
【図２】
0004114327.tif 000003
【図３】
0004114327.tif 000004
【図４】
0004114327.tif 000005
【図５】
0004114327.tif 000006
【図６】
0004114327.tif 000007
【図７】
0004114327.tif 000008
【図８】
0004114327.tif 000009
【図９】
0004114327.tif 000010
【図１０】
0004114327.tif 000011
【図１１】
0004114327.tif 000012
【図１２】
0004114327.tif 000013
【図１３】
0004114327.tif 000014